(57)【要約】【課題】誤挿入カードが挿入された際でも、その誤挿入カードを容易にカード挿入口から取り出すことができる。【解決手段】第３コンタクト端子６による付勢力によって、カード挿入経路１０に向かう方向に付勢され、第１，第２カード２１，２２が挿入されたときに、カード挿入経路１０から離れる方向に回動し、これによって第３コンタクト端子６をカード挿入経路１０から離れる方向に移動させる第１カム板７を備えるとともに、第１，第２，第３カード２１，２２，２３がカード挿入口１から挿入されない待機状態にあって、第１カム板７を、第３コンタクト端子６による付勢力に抗して、カード挿入経路１０から離れる方向に回動させた状態に保持する保持手段を備えた構成にしてある。【選択図】図３
2008130275.tif 000002
【特許請求の範囲】
【請求項１】
装置奥側の所定の装着部に装着される長いカードと、装置手前側の所定の装着部に装着される短いカードとを含む複数種類のカードの挿入を許容させるカード挿入口と、上記複数種類のカードのそれぞれが接触可能な複数のコンタクト端子と、上記複数種類のカードのそれぞれの挿入、排出に伴って、挿入方向、及び排出方向に摺動するスライド部材と、上記複数のコンタクト端子のうちの上記装置手前側に位置する上記短いカードの接触部に接触可能なコンタクト端子による付勢力によって、カード挿入経路に向かう方向に付勢され、上記複数種類のカードのうちの装置奥側まで挿入される上記長いカードが挿入されたとき、その長いカードとの係合によって上記装置手前側に位置するコンタクト端子による付勢力に抗して、上記カード挿入経路から離れる方向に回動し、これによって上記装置手前側に位置するコンタクト端子を上記カード挿入経路から離れる方向に移動させるカム板とを備えるとともに、
上記複数種類のカードのそれぞれが上記カード挿入口から挿入されない待機状態にあって、上記カム板を、上記装置手前側に位置するコンタクト端子による付勢力に抗して、上記カード挿入経路から離れる方向に回動させた状態に保持するとともに、上記スライド部材の上記装置奥側への摺動に伴って上記保持が解除される保持手段を備えたことを特徴とするカード用コネクタ装置。
【請求項２】
上記請求項１記載の発明において、
上記保持手段は、
上記スライド部材に形成され、上記カード挿入経路に沿って延設される平坦面、及びこの平坦面の端部に形成される角部を含むとともに、
上記スライド部材に対向するように上記カム板に設けられ、上記待機状態で上記スライド部材の上記平坦面に係合する平坦部と、この平坦部に連設され、装置奥側に向かうに従って上記スライド部材から離れる形状に形成され、上記スライド部材の装置奥側への摺動に伴って、このスライド部材の上記角部が係合可能な傾斜部とを有するカム部を含むことを特徴とするカード用コネクタ装置。
【請求項３】
上記請求項２記載の発明において、
上記スライド部材の上記平坦面、及び角部を、上記スライド部材の側壁に設けたことを特徴とするカード用コネクタ装置。
【請求項４】
上記請求項１記載の発明において、
上記保持手段は、
上記スライド部材に対向するように上記カム板に設けた突出部を含むとともに、
上記カム板に対向するように上記スライド部材に設けられ、上記待機状態で上記カム板の上記突出部に係合する平坦部と、この平坦部に連設され、上記カード挿入口に向かうに従って上記カム板から離れる形状に形成され、上記スライド部材の装置奥側への摺動に伴って上記カム板の上記突出部が係合可能な傾斜部とを有するカム部を含むことを特徴とするカード用コネクタ装置。
【請求項５】
上記請求項４記載の発明において、
上記スライド部材の上記平坦部、及び上記傾斜部を、上記スライド部材の側壁に設けたことを特徴とするカード用コネクタ装置。
【発明の詳細な説明】
【技術分野】
【０００１】
本発明は、長さの異なる複数種類のカードが装着可能であるとともに、装置手前側に位置するコンタクト端子をカード挿入経路から離れる方向に移動させることが可能なカム板を備えたカード用コネクタ装置に関する。
【背景技術】
【０００２】
この種の従来技術として特許文献１に示されるものがある。この特許文献１には、比較的長くて厚いカードと、このカードに比べて短くて薄いカードとの複数種類のカードの装着が可能なカード用コネクタ装置が開示されている。
【０００３】
この従来技術は、上述のカードのそれぞれの挿入を許容させるカード挿入口と、装置奥側に配置され、上述の長いカードの接触部と接触可能な複数の第１コンタクト端子と、装置手前側に配置され、上述の短いカードの接触部と接触可能な複数の第２コンタクト端子とを備えている。また、上述したカードの挿入、排出に伴って、挿入方向及び排出方向に摺動するスライド部材と、このスライド部材を排出方向に付勢する付勢部材とを備えている。さらに、装置手前側に位置する上述の第２コンタクト端子による付勢力によって、カード挿入経路に向かう方向に付勢され、上述の長いカードが挿入されたとき、そのカードとの係合によって第２コンタクト端子による付勢力に抗して、カード挿入経路から離れる方向に回動し、これによって第２コンタクト端子をカード挿入経路から離れる方向に移動させる押圧部材、すなわちカム板を備えている。
【０００４】
このように構成した従来技術では、長いカードを所定の装着部に装着させる際には、カム板によって第２コンタクト端子がその長いカードに接触しないようにすることができる。また、短いカードを所定の装着部に装着させる際には、第２コンタクト端子を自身の保有する付勢力によって、その短いカードの接触部に所望の接触圧で接触させることができるようになっている。
【特許文献１】特開２００４−７１２５７公報
【発明の開示】
【発明が解決しようとする課題】
【０００５】
上述した従来技術にあっては、誤挿入カード、例えば上述した長いカードよりも短く、上述した短いカードよりも長いカードであって、厚さは上述した長いカードと同等であり、幅寸法が上述した長いカードよりも小さいカードが誤って挿入されてしまったときに、不具合を生じる
すなわち、このような誤挿入カードがカード挿入口から誤って挿入されると、スライド部材が摺動せず、この誤挿入カードは、上述のカム板によって挟み込まれ、取り出すことが困難となる。無理に取り出そうとしたときには、装置手前側に配置された第２コンタクト端子に負荷がかかり、この第２コンタクト端子が損傷する懸念がある。このようなことは、第２コンタクト端子に接触する接触部を有する正規の短いカードが、縦と横を誤って挿入され、挿入時の幅寸法が、正しく挿入された場合に比べて小さくなるときにも起こり得る。このようなときにも、スライド部材が摺動せず、誤挿入カードとなる正規の短いカードが上述のカム板によって挟み込まれてしまう事態を生じる。
【０００６】
本発明は、上述した従来技術における実状からなされたもので、その目的は、誤挿入カードが挿入された際でも、その誤挿入カードを容易にカード挿入口から取り出すことができるカード用コネクタ装置を提供することにある。
【課題を解決するための手段】
【０００７】
上記目的を達成するために、本発明は、装置奥側の所定の装着部に装着される長いカードと、装置手前側の所定の装着部に装着される短いカードとを含む複数種類のカードの挿入を許容させるカード挿入口と、上記複数種類のカードのそれぞれが接触可能な複数のコンタクト端子と、上記複数種類のカードのそれぞれの挿入、排出に伴って、挿入方向、及び排出方向に摺動するスライド部材と、上記複数のコンタクト端子のうちの上記装置手前側に位置する上記短いカードの接触部に接触可能なコンタクト端子による付勢力によって、カード挿入経路に向かう方向に付勢され、上記複数種類のカードのうちの装置奥側まで挿入される上記長いカードが挿入されたとき、その長いカードとの係合によって上記装置手前側に位置するコンタクト端子による付勢力に抗して、上記カード挿入経路から離れる方向に回動し、これによって上記装置手前側に位置するコンタクト端子を上記カード挿入経路から離れる方向に移動させるカム板とを備えるとともに、上記複数種類のカードのそれぞれが上記カード挿入口から挿入されない待機状態にあって、上記カム板を、上記装置手前側に位置するコンタクト端子による付勢力に抗して、上記カード挿入経路から離れる方向に回動させた状態に保持するとともに、上記スライド部材の上記装置奥側への摺動に伴って上記保持が解除される保持手段を備えたことを特徴としている。
【０００８】
このように構成した本発明は、カードが挿入されない待機状態にあって、保持手段によってカム板をカード挿入経路から離れる方向に回動させた際のカム板によって形成されるカード挿入経路のカード厚さ方向に沿う寸法が、想定される誤挿入カードの厚さよりも大きくなるように、あらかじめ考慮してこの保持手段を設ければよく、カード挿入口から誤挿入カードが挿入された際には、スライド部材が摺動せず、したがって待機状態におけるのと同じように保持手段によってカム板が上述のように保持される。これにより、誤挿入カードがカム板によって挟まれる事態を生じることがなく、その誤挿入カードを容易にカード挿入口から取り出すことができる。
【０００９】
なお、装置奥側に配置されるコンタクト端子に接触する接触部を有する長くて厚い正規のカードが正しく挿入された際には、このカードの挿入によってスライド部材が摺動し、保持手段による保持が解除されるとともに、その長いカードとの係合によってカム板がカード挿入経路から離れる方向に回動して、装置手前側に位置するコンタクト端子を長いカードに接触しない状態に保つことができ、これによって所定の装着部に長いカードを装着させることができる。また、装置手前側に配置されるコンタクト端子に接触する接触部を有する短くて薄い正規のカードが正しく挿入された際には、この短いカードの挿入に伴ってスライド部材が摺動し、保持手段による保持が解除されるとともに、装置手前側に位置するコンタクト端子が自身の保有する付勢力によって短いカードの接触部に接触する状態となる所望の装着部に装着させることができる。
【００１０】
また、本発明は上記発明において、上記保持手段は、上記スライド部材に形成され、上記カード挿入経路に沿って延設される平坦面、及びこの平坦面の端部に形成される角部を含むとともに、上記スライド部材に対向するように上記カム板に設けられ、上記待機状態で上記スライド部材の上記平坦面に係合する平坦部と、この平坦部に連設され、装置奥側に向かうに従って上記スライド部材から離れる形状に形成され、上記スライド部材の装置奥側への摺動に伴って、このスライド部材の上記角部が係合可能な傾斜部とを有するカム部を含むことを特徴としている。
【００１１】
このように構成した本発明は、待機状態から誤挿入カードが挿入された際には、スライド部材が摺動しないことから、スライド部材の平坦面と、カム板に設けられるカム部の平坦部とを係合させた状態を維持できる。したがって、これらのスライド部材の平坦面と、カム板のカム部の平坦部とを含む寸法関係を、このときカム板によって形成されるカード挿入経路のカード厚さ方向に沿う寸法が、想定される誤挿入カードの厚さよりも大きくするようにあらかじめ考慮して設定すればよく、上述のように誤挿入カードが挿入されてしまっても、その誤挿入カードがカム板によって挟まれる事態を生じることがない。
【００１２】
なお、装置奥側に配置されるコンタクト端子に接触する接触部を有する長くて厚い正規のカードが正しく挿入された際には、この長いカードの挿入に伴ってスライド部材が摺動し、スライド部材の平坦面の端部に形成される角部と、カム板に設けられるカム部の傾斜部とが係合する状態となって、装置手前側に位置するコンタクト端子の付勢力によってカム板がカード挿入経路に向かう方向に回動しようとするが、挿入された長いカードがカム板に係合することにより、カム板がカード挿入経路から離れる方向に回動する。これにより、装置手前側に位置するコンタクト端子を長いカードに接触しない状態に保つことができる。
【００１３】
また、装置手前側に配置されるコンタクト端子に接触する接触部を有する短くて薄い正規のカードが正しく挿入された際には、この短いカードの挿入に伴ってスライド部材が摺動し、上述のようにスライド部材の平坦面の端部に形成される角部が、カム板のカム部の傾斜部に係合する状態となって、装置手前側に位置するコンタクト端子の付勢力によってカム板がカード挿入経路に向かう方向に回動する。これにより、装置手前側に位置するコンタクト端子と短いカードの接触部とを、所望の接触圧で接触させることができる。
【００１４】
また、本発明は上記発明において、上記スライド部材の上記平坦面、及び角部を、上記スライド部材の側壁に設けたことを特徴としている。このように構成した本発明は、スライド部材の側壁を、誤挿入カードが挿入された際の取り出しを容易にするために有効に活用させることができる。
【００１５】
また、本発明は上記発明において、上記保持手段は、上記スライド部材に対向するように上記カム板に設けた突出部を含むとともに、上記カム板に対向するように上記スライド部材に設けられ、上記待機状態で上記カム板の上記突出部に係合する平坦部と、この平坦部に連設され、上記カード挿入口に向かうに従って上記カム板から離れる形状に形成され、上記スライド部材の装置奥側への摺動に伴って上記カム板の上記突出部が係合可能な傾斜部とを有するカム部を含むことを特徴としている。
【００１６】
このように構成した本発明は、待機状態から誤挿入カードが挿入された際には、スライド部材が摺動しないことから、カム板の突出部とスライド部材のカム部の平坦部とを係合させた状態に保つことができる。したがって、これらのカム板の突出部と、スライド部材のカム部の平坦部を含む寸法関係を、このときカム板によって形成されるカード挿入経路のカード厚さ方向に沿う寸法が、想定される誤挿入カードの厚さよりも大きくなるようにあらかじめ考慮して設定すればよく、上述のように誤挿入カードが挿入されたとしても、その誤挿入カードがカム板によって挟まれる事態を生じることがない。
【００１７】
なお、装置奥側に配置されるコンタクト端子に接触する接触部を有する長くて厚い正規のカードが正しく挿入された際には、この長いカードの挿入に伴ってスライド部材が摺動し、カム板の突出部と、スライド部材に設けたカム部の傾斜部とが係合する状態となって、装置手前側に位置するコンタクト端子の付勢力によってカム板がカード挿入経路に向かう方向に回動しようとするが、この際、長いカードとの係合によってカム板がカード挿入経路から離れる方向に回動して、装置手前側に位置するコンタクト端子が長いカードに接触しない状態に保つことができる。
【００１８】
また、装置奥側に配置されるコンタクト端子に接触する接触部を有する短くて薄い正規のカードが正しく挿入された際には、この短いカードの挿入に伴ってスライド部材が摺動し、上述のようにカム板の突出部とスライド部材のカム部の傾斜部とが係合する状態となって、装置手前側に位置するコンタクト端子の付勢力によってカム板がカード挿入経路に向かう方向に回動する。これにより、装置手前側に位置するコンタクト端子と、短いカードの接触部とを所望の接触圧で接触させることができる。
【００１９】
また、本発明は上記発明において、上記スライド部材の上記平坦部、及び上記傾斜部を、上記スライド部材の側壁に設けたことを特徴としている。このように構成した本発明は、スライド部材の側壁を、誤挿入カードが挿入された際の取り出しを容易にするために有効に活用させることができる。
【発明の効果】
【００２０】
本発明は、複数種類のカードのそれぞれが挿入されない待機状態にあって、カム板を、装置手前側に位置するコンタクト端子による付勢力に抗して、カード挿入経路から離れる方向に回動させた状態に保持するとともに、スライド部材の装置奥側への摺動に伴って上述の保持が解除される保持手段を備えたことから、カム板によって形成されるカード挿入経路のカード厚さ方向に沿う寸法を誤挿入カードの厚さよりも大きくすることができ、これにより、誤挿入カードが挿入された際でも、スライド部材が摺動しないことに伴ってカム板を上述のようにカード挿入経路から離れる方向に回動させた状態に保持でき、その誤挿入カードを容易にカード挿入口から取り出すことができる。したがって、従来懸念されていた誤挿入カードの取り出しに伴う煩雑さを解消できるとともに、装置手前側に位置するコンタクト端子の損傷を防ぐことができる。
【発明を実施するための最良の形態】
【００２１】
以下，本発明に係るカード用コネクタ装置を実施するための最良の形態を図に基づいて説明する。
【００２２】
［本実施形態の構成］
図１は本発明に係るカード用コネクタ装置の一実施形態を示す要部平面図、図２は図１の側断面図で、（ａ）図は図１のＡ−Ａ断面図、（ｂ）図は図１のＢ−Ｂ断面図である。図３は図２の要部を拡大して示した図で、（ａ）図は図２の（ａ）図のＣ部拡大図、（ｂ）図は図２の（ｂ）図のＤ部拡大図である。図４は本実施形態に誤挿入カードが挿入されるときの状態を示す図で、（ａ）図は要部平面図、（ｂ）図は（ａ）図のＥ−Ｅ断面図である。
【００２３】
本実施形態は、複数種類のカード例えば、装置奥側の所定の第１カード装着部に装着される長くて厚い後述の第１カード２１と、装置中央部の所定の第２カード装着部に装着され、第１カード２１よりも短いものの比較的厚い後述の第２カード２２と、装置手前側の所定の第３カード装着部に装着され、第２カード２２よりもさらに短く、第１カード２１及び第２カード２２よりも薄い後述の第３カード２３の３つのカードの挿入が可能となっている。
【００２４】
本実施形態は、複数のコンタクト端子を備えている。すなわち、図１に示すように、上述の第１カード装着部に配置され、第１カード２１の接触部と接触可能な金属板から成る第１コンタクト端子４と、上述の第２カード装着部に配置され、第２カード２２の接触部と接触可能な金属板から成る第２コンタクト端子５と、上述の第３カード装着部に配置され、第３カード２３の接触部と接触可能な金属板から成る第３コンタクト端子６とを備えている。
【００２５】
また、第１カード２１、第２カード２２、第３カード２３のそれぞれの挿入、排出に伴って、挿入方向、及び排出方向に摺動するスライド部材２と、このスライド部材２を排出方向に付勢するコイルばねから成る付勢部材３を備えている。
【００２６】
また、装置手前側に位置する第３コンタクト端子６による付勢力によって、図３に示すカード挿入経路１０に向かう方向に付勢され、装置奥側に挿入される第１カード２１、及び装置中央部に挿入される第２カード２２が挿入されたとき、これらのカードとの係合によって装置手前側に位置する第３コンタクト端子６の付勢力に抗して、カード挿入経路１０から離れる方向に回動し、これによって装置手前側に位置する第３コンタクト端子６を第１カード２１あるいは第２カード２２に接触させないように、カード挿入経路１０から離れる方向に移動させる第１カム板７を備えている。
【００２７】
さらに、装置中央部に位置する第２コンタクト端子５等による付勢力によってカード挿入経路１０に向かう方向に付勢され、装置奥側まで挿入される第１カード２１が挿入されたとき、第１カード２１との係合によって第２コンタクト端子５等の付勢力に抗して、カード挿入経路１０から離れる方向に回動し、これによって第２コンタクト端子５を第１カード２１に接触させないように、カード挿入経路１０から離れる方向に移動させる第２カム板８を備えている。
【００２８】
本実施形態は特に、第１カード２１、第２カード２２、及び第３カード２３のそれぞれが、カード挿入口１から挿入されていない待機状態にあって、第１カム板７を、装置手前側に位置する第３コンタクト端子６の付勢力に抗して、カード挿入経路１０から離れる方向に回動させた状態に保持するとともに、スライド部材２の装置奥側への摺動に伴って上述の保持が解除される保持手段を備えている。この保持手段は、例えば第１保持手段と第２保持手段とを含んでいる。
【００２９】
第１保持手段は、図１のＡ−Ａ断面に関連する図３の（ａ）図に示すように、スライド部材２に形成され、カード挿入経路１０に沿って延設される平坦面２ａ、及びこの平坦面２ａの端部に形成される角部２ｂを含んでいる。また、スライド部材２に対向するように、第１カム板７に設けられ、待機状態でスライド部材２の平坦面２に係合する平坦部９ａと、この平坦部９ａに連設され、装置奥側に向かってスライド部材２から離れる形状に形成され、スライド部材２の装置奥側への摺動に伴って、このスライド部材２の角部２ｂが係合可能な傾斜部９ｂを有する第１カム部９を含んでいる。上述したスライド部材２の平坦面２ａ、及び角部２ｂは、スライド部材２の一方の側壁、すなわち図１の右側に位置する側壁に設けてある。
【００３０】
また、上述したスライド部材２の平坦面２ａと、第１カム部９の平坦部９ａとを含む寸法関係を、図３の（ａ）図に示す待機状態にあって、第１カム板７によって形成されるカード挿入経路１０のカード厚さ方向に沿う寸法が、想定される誤挿入カード１３の厚さよりも大きくなるようにあらかじめ考慮して設定してある。すなわち、このような待機状態にあっては、図４の（ｂ）図に示すように、上述の第１保持手段によって第１カム板７の先端部７ａによって形成されるカード挿入経路１０のカード厚さ方向に沿う寸法ｓが、想定される誤挿入カード１３の厚さ寸法ｔよりも大きくなるようにあらかじめ設定してある。
【００３１】
また、第２保持手段は、図１のＢ−Ｂ断面に関連する図３の（ｂ）図に示すように、スライド部材２に対向するように第１カム板７に設けた突出部１２を含むとともに、第１カム板７に対向するようにスライド部材２に設けられ、待機状態で第１カム板７の突出部１２に係合する平坦部１１ａと、この平坦部１１ａに連設され、カード挿入口１に向かうに従って第１カム板７から離れる形状に形成され、スライド部材２の装置奥側への摺動に伴って、第１カム板７の突出部１２が係合可能な傾斜部１１ｂとを有する第２カム部１１を含んでいる。上述したスライド部材２の平坦部１１ａ、及び傾斜部１１ｂは、スライド部材２の他方の側壁、すなわち図１の左側に位置する側壁に設けてある。
【００３２】
また、上述した第１カム板７の突出部１２と、スライド部材２の平坦部１１ａとを含む寸法関係を、上述した第１保持手段におけるのと同様に、図３の（ｂ）図に示す待機状態にあって、第１カム板７によって形成されるカード挿入経路１０のカード厚さ方向に沿う寸法が、想定される誤挿入カード１３の厚さ寸法よりも大きくなるようにあらかじめ考慮して設定してある。すなわち、待機状態にあって、上述したように図４の（ｂ）図に示す寸法ｓと、誤挿入カード１３の厚さｔの関係が、（ｓ＞ｔ）の関係を保つようにあらかじめ設定してある。
【００３３】
［カードが正しく挿入されたときの動作］
図５は本実施形態の所定の第１カード装着部に第１カードが正しく装着された状態を示す図で、（ａ）図は要部平面図、（ｂ）図は（ａ）図から第１，第２，第３コンタクト端子を除いた状態を示す図である。
【００３４】
本実施形態に係るカード用コネクタ装置に、図５の（ｂ）図に例示する長くて厚い第１カード２１が挿入されると、この第１カード２１との係合によって、図１に示す第１カム７がカード挿入経路１０から離れる方向に回動し、これに伴って第３コンタクト端子６が第１カード２１に接触しないようにカード挿入経路１０から離れる方向に移動する。
【００３５】
なお、第１カード２１の挿入に伴ってスライド部材２が図１に示す付勢部材３の付勢力に抗して摺動し、図３の（ａ）図に示すスライド部材２の平坦面２ａの端部に形成される角部２ｂと、第１カム板７に設けられる第１カム部９の傾斜部９ｂとが係合する状態となって、装置手前側に位置する第３コンタクト端子６の付勢力によって第１カム板７がカード挿入経路１０に向かう方向に回動しようとするが、この際、第１カード２１との係合によって第１カム板７がカード挿入経路１０から離れる方向に回動して、装置手前側に位置する第３コンタクト端子６が第１カード２１に接触しない状態に保たれる。
【００３６】
また、上述したスライド部材２の摺動によって、図３の（ｂ）図に示す第１カム板７の突出部１２と、スライド部材２に設けた第２カム部１１の傾斜部１１ｂとが係合する状態となって、装置手前側に位置する第３コンタクト端子６の付勢力によって第１カム板７がカード挿入経路１０に向かう方向に回動しようとするが、この際、第１カード２１との係合によって第１カム板７がカード挿入経路１０から離れる方向に回動して、装置手前側に位置する第３コンタクト端子６が第１カード２１に接触しない状態に保たれる。
【００３７】
さらに、第１カード２１が装置奥側に向かって押し込まれると、この第１カード２１との係合によって、図１に示す第２カム板８もカード挿入経路１０から離れる方向に回動し、これに伴って第２コンタクト端子５がカード挿入経路１０から離れる方向に回動する。図５の（ａ）図に示すように、挿入された第１カード２１が所定の第１カード装着部に至ると、図示しないロック機構によってスライド部材２がロックされるとともに、第１カード２１の接触部と第１コンタクト端子４とが接触し、この第１カード２１に対する信号の送受信が可能となる。なお、カード排出時には、図示しないロック機構によるスライド部材２のロックを解除すると、付勢部材３の付勢力によりスライド部材２が排出方向に摺動し、これに伴って第１カード２１がカード挿入口１から排出される。
【００３８】
図６は本実施形態の所定の第２カード装着部に第２カードが正しく装着された状態を示す図で、（ａ）図は要部平面図、（ｂ）図は（ａ）図から第１，第２，第３コンタクト端子を除いた状態を示す図である。
【００３９】
本実施形態に、第１カード２１よりも短い図６の（ｂ）図に例示する第２カード２２が挿入されると、この第２カード２２との係合によって図１に示す第１カム板７がカード挿入経路１０から離れる方向に回動し、これに伴って第３コンタクト端子６が第２カード２２に接触しないようにカード挿入経路１０から離れる方向に移動する。
【００４０】
この際、上述の第１カード２１の挿入の場合と同様に、第２カード２２の挿入に伴ってスライド部材２が図１に示す付勢部材３の付勢力に抗して摺動し、これにより第１カム板７が上述したようにカード挿入経路１０に向かう方向に回動しようとするが、第２カード２２との係合によってこの第１カム板７がカード挿入経路１０から離れる方向に回動して、装置手前側に位置する第３コンタクト端子６が第２カード２２に接触しない状態に保たれる。
【００４１】
さらに、第２カード２２が押し込まれ、図６の（ａ）図に示すように、所定の第２カード装着部に至ると、図示しないロック機構によってスライド部材２がロックされるとともに、第２カード２２の接触部と第２コンタクト端子５とが接触し、この第２カード２２に対する信号の送受信が可能となる。なお、カード排出時には、図示しないロック機構によるスライド部材２のロックを解除することにより、付勢部材３の付勢力によってスライド部材２が排出方向に摺動して、第２カード２２が排出される。
【００４２】
図７は本実施形態に第３カードが挿入され、これに伴ってスライド部材が摺動したときの状態を示す図で、（ａ）図は図３の（ａ）図に対応させて描いた拡大図、（ｂ）図は図３の（ｂ）図に対応させて描いた拡大図である。図８は本実施形態の所定の第３カード装着部に第３カードが正しく装着された状態を示す図で、（ａ）図は図７の（ａ）図に対応させて描いた拡大図、（ｂ）図は図７の（ｂ）図に対応させて描いた拡大図である。図９は本実施形態の所定の第３カード装着部に第３カードが正しく装着された状態を示す図で、（ａ）図は要部平面図、（ｂ）図は（ａ）図から第１，第２，第３コンタクト端子を除いた状態を示す図である。
【００４３】
本実施形態に第２カード２２よりも短くて薄い図９の（ｂ）図に例示する第３カード２３が挿入されると、この第３カード２３の挿入に伴ってスライド部材２が摺動し、スライド部材２の一方の側壁側においては、図７の（ａ）図に示すように、スライド部材２の平坦面２ａの端部に形成される角部２ｂと、第１カム板７に設けられる第１カム部９の傾斜部９ｂとが係合する状態となり、また、スライド部材２の他方の側壁側においては図７の（ｂ）図に示すように、第１カム板７の突出部１２がスライド部材２の第２カム部１１の傾斜部１１ｂに係合する状態となって、装置手前側に位置する第３コンタクト端子６の付勢力によって、第１カム板７がカード挿入経路１０に向かう方向に回動する。
【００４４】
さらに、第３カード２３が押し込まれると、スライド部材２の一方の側壁側においては、図８の（ａ）図に示すように、スライド部材２の角部２ｂが第１カム板７に設けた第１カム部９の傾斜部９ｂから離脱した状態となり、また、スライド部材２の他方の側壁側においては、図８の（ｂ）図に示すように、第１カム板７の突出部１２がスライド部材２の第２カム部１１の傾斜部１１ｂから離脱し、第２平坦部１１ｃに係合する状態となり、図９の（ａ）図に示すように、挿入された第３カード２３が所定の第３カード装着部に至る。この状態に至ると、図示しないロック機構によってスライド部材２がロックされるとともに、図８の（ａ）（ｂ）図に示すように、第３カード２３の接触部と第３コンタクト端子６とが接触し、この第３カード２３に対する信号の送受信が可能となる。なお、カード排出時には、図示しないロック機構によるスライド部材２のロックを解除することにより、付勢部材３の付勢力によってスライド部材２が排出方向に摺動し、これによって第３カード２３がカード挿入口１から排出される。
【００４５】
［誤挿入カードが挿入されたときの動作］
図４に示すように、例えば第１カード２１よりも短く、第３カード２３よりも長く、第１カード２１よりも幅寸法が小さく、厚さが第１カード２１とほぼ同等の誤挿入カード１３が、本実施形態に係るカード用コネクタ装置に誤って挿入されたときには、その誤挿入カード１３がスライド部材２に係合せず、したがって、スライド部材２が摺動しない状態で、誤挿入カード１３だけが押し込まれる。
【００４６】
このとき、待機状態にあっては、第１カム板７の先端部７ａによって形成されるカード挿入経路１０のカード厚さ方向に沿う寸法ｓが、想定される誤挿入カード１３の厚さｔよりもあらかじめ大きく設定されており、また、スライド部材２が摺動しないことに伴って、誤挿入カード１３の挿入の間、上述の寸法ｓが維持される。すなわち、スライド部材２の一方の側壁側においては、図３の（ａ）図に示すように、第１カム板７に設けた第１カム部９の平坦部９ａが、スライド部材２の平坦面２ａに係合した状態に保たれ、スライド部材２の他方の側壁側においては、図３の（ｂ）図に示すように、第１カム板７に設けた突出部１２が、スライド部材２に設けた第２カム部１１の傾斜部１１ｂに係合した状態に保たれ、これによって上述のように、第１カム板７の先端部７ａによって形成される図４に示すカード挿入経路１０の寸法ｓが、誤挿入カード１３の厚さｔよりも大きい状態に保たれる。
【００４７】
したがって、誤挿入カード１３が挿入された際に、この誤挿入カード１３が第１カム板７によって挟まれることがなく、誤挿入カード１３の挿入に気付いたときに直ちに、この誤挿入カード１３をカード挿入口１から取り出すことができる。
【００４８】
［本実施形態の効果］
上述のように本実施形態は、正規のカードである第１カード２１、第２カード２２、及び第３カード２３のそれぞれがカード挿入口１から挿入されていない待機状態にあって、カード挿入経路１０のカード厚さ方向に沿う寸法を、想定される誤挿入カード１３の厚さｔよりも大きい寸法ｓ（ｔ＜ｓ）に保持する保持手段を備え、この保持手段が、図３の（ａ）図に示す第１カム板７に設けた平坦部９ａと傾斜部９ｂを有する第１カム部９と、スライド部材２に設けた平坦面２ａ及び角部２ｂとを含む第１保持手段と、図３の（ｂ）図に示す第１カム板７に設けた突出部１２と、スライド部材２に設けた平坦部１１ａ及び傾斜部１１ｂを有する第２カム部１１とを含む第２保持手段とから成る構成にしてある。
【００４９】
この構成により、誤挿入カード１３が挿入された際に、スライド部材２が摺動せず、待機状態におけるのと同じように、カード挿入経路１０を寸法ｓ（＞ｔ）に保持できる。すなわち、第１カム板７によって形成されるカード挿入経路１０のカード厚さ方向に沿う寸法を、誤挿入カード１３の厚さよりも大きくすることができる。これにより、その誤挿入カード１３が第１カム板７によって挟まれることがなく、この誤挿入カード１３を容易にカード挿入口１から取り出すことができる。したがって、誤挿入カード１３の取り出しに伴う煩雑さを解消できるとともに、装置手前側に位置する第３コンタクト端子６の損傷を防ぐことができる。
【００５０】
また、本実施形態は、スライド部材２の平坦面２ａ、及び角部２ｂを、スライド部材２の一方の側壁に設け、スライド部材２の第２カム部１１の第１平坦部１１ａ、及び傾斜部１１ｂを、スライド部材２の他方の側壁に設けたことから、これらのスライド部材２の側壁を、誤挿入カード１３が挿入された際の取り出しを容易にするために有効に活用させることができ、装置の大型化を抑えることができる。
【図面の簡単な説明】
【００５１】
【図１】本発明に係るカード用コネクタ装置の一実施形態を示す要部平面図である。
【図２】図１の側断面図で、（ａ）図は図１のＡ−Ａ断面図、（ｂ）図は図１のＢ−Ｂ断面図である。
【図３】図２の要部を拡大して示した図で、（ａ）図は図２の（ａ）図のＣ部拡大図、（ｂ）図は図２の（ｂ）図のＤ部拡大図である。
【図４】本実施形態に誤挿入カードが挿入されるときの状態を示す図で、（ａ）図は要部平面図、（ｂ）図は（ａ）図のＥ−Ｅ断面図である。
【図５】本実施形態の所定の第１カード装着部に第１カードが正しく装着された状態を示す図で、（ａ）図は要部平面図、（ｂ）図は（ａ）図から第１，第２，第３コンタクト端子を除いた状態を示す図である。
【図６】本実施形態の所定の第２カード装着部に第２カードが正しく装着された状態を示す図で、（ａ）図は要部平面図、（ｂ）図は（ａ）図から第１，第２，第３コンタクト端子を除いた状態を示す図である。
【図７】本実施形態に第３カードが挿入され、これに伴ってスライド部材が摺動したときの状態を示す図で、（ａ）図は図３の（ａ）図に対応させて描いた拡大図、（ｂ）図は図３の（ｂ）図に対応させて描いた拡大図である。
【図８】本実施形態の所定の第３カード装着部に第３カードが正しく装着された状態を示す図で、（ａ）図は図７の（ａ）図に対応させて描いた拡大図、（ｂ）図は図７の（ｂ）図に対応させて描いた拡大図である。
【図９】本実施形態の所定の第３カード装着部に第３カードが正しく装着された状態を示す図で、（ａ）図は要部平面図、（ｂ）図は（ａ）図から第１，第２，第３コンタクト端子を除いた状態を示す図である。
【符号の説明】
【００５２】
１    挿入口
２    スライド部材
２ａ  平坦面（保持手段）
２ｂ  角部（保持手段）
３    付勢部材
４    第１コンタクト端子
５    第２コンタクト端子
６    第３コンタクト端子
７    第１カム板
７ａ  先端部
８    第２カム板
９    第１カム部（保持手段）
９ａ  平坦部（保持手段）
９ｂ  傾斜部（保持手段）
１０    カード挿入経路
１１    第２カム部（保持手段）
１１ａ  第１平坦部（保持手段）
１１ｂ  傾斜部（保持手段）
１１ｃ  第２平坦部
１２    突出部（保持手段）
１３    誤挿入カード
２１    第１カード
２２    第２カード
２３    第３カード
【図１】
2008130275.tif 000003
【図２】
2008130275.tif 000004
【図３】
2008130275.tif 000005
【図４】
2008130275.tif 000006
【図５】
2008130275.tif 000007
【図６】
2008130275.tif 000008
【図７】
2008130275.tif 000009
【図８】
2008130275.tif 000010
【図９】
2008130275.tif 000011